(57)【要約】【課題】取付対象面の見栄えを悪化させることなく、操作機器の取り外し作業を簡単に行うことができる取付具を提供する。【解決手段】平坦な取付対象面に対し操作機器を係脱自在に取り付ける取付具１として、操作機器の裏面に裏面を取り付けた操作機器側取付基板２の表面側より突出する突起部２２の先端より下方へ延びる延設片２３を、取付対象面に裏面を取り付けた取付対象面側基板３の表面側より突出する突出部３２の係合部３３に上方から係脱自在に係合する。取付対象面側基板３の下部に、下方に行くに従い取付対象面から離間する方向へ傾斜する把持片３５を一体的に設ける。取付対象面側基板の裏面の接着部材を、把持片３５を把持した状態で取付対象面側基板３を取付対象面に対しねじり回転した際に取付対象面より離脱させるようにしている。【選択図】図７
0003233259.tif 000002
【実用新案登録請求の範囲】
【請求項１】
平坦な取付対象面に対し操作機器を係脱自在に取り付ける取付具であって、
前記操作機器の裏面に裏面が取り付けられ、表面側より突出する突起部の先端より下方へ延びる延設片を有する操作機器側取付基板と、
前記取付対象面に裏面が取り付けられ、前記延設片を係脱自在に係合する係合部が表面側より突出する取付対象面側基板と、
前記取付対象面側基板の裏面に設けられ、当該取付対象面側基板を前記取付対象面に対し脱着可能な接着により取り付ける接着部材と、
を備え、
前記取付対象面側基板の下部には、当該取付対象面側基板を前記取付対象面から取り外す際に把持し易くなるように下方に行くに従い前記取付対象面から離間する方向へ傾斜する把持片が一体的に設けられていて、
前記取付対象面側基板は、前記把持片を把持した状態で前記取付対象面に対しねじり回転した際に当該取付対象面より離脱するようになっていることを特徴とする取付具。
【請求項２】
前記接着部材は、発砲ポリウレタンフォームよりなる接着シートと、前記接着シートを前記取付対象面側基板の裏面に接着する両面テープとを備え、これらによって２層構造に構成されている請求項１に記載の取付具。
【請求項３】
前記接着部材は、前記取付対象面として凹凸のある紙製や、ビニル製又はオレフィン製の壁紙により形成された壁面に対する接着も可能な塗付タイプのものが前記取付対象面側基板の裏面に塗布された状態で設けられている請求項１に記載の取付具。
【請求項４】
前記係合部は、前記延設片を上方からの挿通により係脱自在に係合する挿通孔を備えている請求項１〜請求項３のいずれか１つに記載の取付具。
【請求項５】
前記操作機器側取付基板及び前記取付対象面側基板は、前記取付対象面に対し前記操作機器を取り付けた状態で互いに略平行な状態とされ、
前記把持片の下端は、前記取付対象面に対し前記操作機器を取り付けた際に当該操作機器の裏面とほぼ接触している請求項１〜請求項４のいずれか１つに記載の取付具。
【請求項６】
前記取付対象面側基板には、前記取付基板面に対しホッチキスのステープルが打ち込まれるように当該取付基板面に沿って外方へ突出する突出片が一体的に設けられている請求項１〜請求項５のいずれか１つに記載の取付具。
【考案の詳細な説明】
【技術分野】
【０００１】
本考案は、平坦な取付対象面に対しリモコン、携帯端末又はタイマなどの操作機器を係脱自在に取り付ける取付具に関する。
【背景技術】
【０００２】
従来、このような取付具は、平坦な取付対象面に対しネジにより螺着した本体支持具とリモコン本体との互いの対向部のいずれか一方に係合部を設ける一方、他方に被係合部を設け、係合部と被係合部との互いの係脱自在な係合によって、リモコン本体を取付対象面に取り付けるようにしたものが知られている（特許文献１参照）。
【先行技術文献】
【特許文献】
【０００３】
【特許文献１】特開2008-125056号公報
【考案の概要】
【考案が解決しようとする課題】
【０００４】
ところが、前記従来のものでは、本体支持具としての取付対象面側基板を取付対象面にネジの螺着により取り付けているため、リモコン本体としての操作機器の取付位置を変更する際などに取付対象面側基板を取り外すと、ネジ穴が残り、取付対象面の見栄えが著しく悪化する上、操作機器の取り外し作業が非常に面倒なものとなる。
【０００５】
本考案は、かかる点に鑑みてなされたものであり、その目的とするところは、取付対象面の見栄えを悪化させることなく、操作機器の取り外し作業を簡単に行うことができる取付具を提供することにある。
【課題を解決するための手段】
【０００６】
前記目的を達成するため、本考案では、平坦な取付対象面に対し操作機器を係脱自在に取り付ける取付具を前提とする。更に、前記操作機器の裏面に裏面が取り付けられ、表面側より突出する突起部の先端より下方へ延びる延設片を有する操作機器側取付基板と、前記取付対象面に裏面が取り付けられ、前記延設片が係脱自在に係合する係合部を表面側より突出させた取付対象面側基板と、前記取付対象面側基板の裏面に設けられ、当該取付対象面側基板を前記取付対象面に対し脱着可能な接着により取り付ける接着部材と、を備える。そして、前記取付対象面側基板の下部に、当該取付対象面側基板を前記取付対象面から取り外す際に把持し易くなるように下方に行くに従い前記取付対象面から離間する方向へ傾斜する把持片を一体的に設けていて、前記取付対象面側基板は、前記把持片を把持した状態で前記取付対象面に対しねじり回転した際に当該取付対象面より離脱するようになっていることを特徴としている。
【０００７】
また、前記接着部材は、発砲ポリウレタンフォームよりなる接着シートと、前記接着シートを前記取付対象面側基板の裏面に接着する両面テープとを備え、これらによって２層構造に構成されていてもよい。
【０００８】
これに対し、前記接着部材は、前記取付対象面として凹凸のある紙製、ビニル製又はオレフィン製の壁紙により形成された壁面に対する接着も可能な塗付タイプのものを前記取付対象面側基板の裏面に塗布した状態で設けられていてもよい。
【０００９】
また、前記係合部に、前記延設片を上方からの挿通により係脱自在に係合する挿通孔を設けていてもよい。
【００１０】
また、前記操作機器側取付基板及び前記取付対象面側基板を、前記取付対象面に対し前記操作機器を取り付けた状態で互いに略平行な状態とし、前記把持片の下端を、前記取付対象面に対し前記操作機器を取り付けた際に当該操作機器の裏面とほぼ接触することがこのましい。
【００１１】
更に、前記取付対象面側基板に、前記取付基板面に対しホッチキスのステープルが打ち込まれるように当該取付基板面に沿って外方へ突出する突出片を一体的に設けていてもよい。
【考案の効果】
【００１２】
以上、要するに、操作機器の裏面に裏面を取り付けた操作機器側取付基板の表面側より突出する突起部先端の延設片が係脱自在に係合する係合部を表面側より突出させた取付対象面側基板の裏面を取付対象面に対し接着部材により脱着可能に取り付けている。
【００１３】
その場合、取付対象面側基板を取付対象面から取り外す際に、取付対象面側基板の下部の把持片を把持した状態で取付対象面に対しねじり回転させると、取付対象面より取付対象面側基板が離脱する。このとき、取付対象面側基板をねじり回転させた際に取付対象面に接着する接着部材に対しせん断応力が発生し、接着部材が取付対象面から簡単に剥離する。これにより、リモコン本体の取付位置を変更する際に本体支持具を取り外しても、取付対象面には負荷の少ないせん断応力のみが発生して見栄えを悪化させることがなく、リモコン本体の取り外し作業を簡単に行うことができる。
【００１４】
また、接着部材を、発砲ポリウレタンフォームよりなる接着シートと接着シートを取付対象面側基板の裏面に接着する両面テープとの２層構造に構成することで、発砲ポリウレタンフォームよりなる接着シートを取付対象面側基板の裏面に両面テープによって簡単に接着することができる。
【００１５】
これに対し、接着部材として、取付対象面側基板の裏面に塗布する塗付タイプのものを用い、取付対象面として凹凸のある紙製、ビニル製又はオレフィン製の壁紙により形成された壁面に対する接着も可能とすることで、取付対象面に対する接着可能範囲を拡大することができる。
【００１６】
また、係合部に延設片を上方からの挿通により係脱自在に係合する挿通孔を設けることで、取付対象面側基板の係合部の挿通孔に対し操作機器側取付基板の延設片を上方から挿通すれば、取付対象面に対し操作機器を円滑に取り付けることができる。
【００１７】
また、取付対象面に対し操作機器を取り付けた状態で操作機器側取付基板及び取付対象面側基板を互いに略平行な状態とし、取付対象面に対し操作機器を取り付けた際に当該操作機器の裏面と把持片の下端をほぼ接触させることで、操作機器を取り付けた際に操作機器の重さによる取付対象面側基板の上端からの剥がれが抑制され、操作機器を取付具に対し安定した状態で取り付けることができる。
【００１８】
更に、取付基板面に沿って外方へ突出する突出片を取付対象面側基板に一体的に設け、取付基板面に対しホッチキスのステープルを打ち込むことで、取付対象面側基板を接着部材の接着力とステープルの打ち込み力とによって取付対象面に対し強固に取付けることができる。
【図面の簡単な説明】
【００１９】
【図１】本考案の実施の形態に係る取付具を用いて操作機器を取付対象面に取り付けた状態を示す側面図である。
【図２】図１の取付具を操作機器側取付基板側から見た正面図である。
【図３】図２の取付具を取付対象面側基板側から見た背面図である。
【図４】図２の取付具を側方から見た側面図である。
【図５】図２の取付具を上方から見た平面図である。
【図６】図２の取付具を下方から見た底面図である。
【図７】図５のＡ−Ａ線で切断した断面図である。
【図８】図２の取付具の斜視図である。
【図９】図１の操作機器を取付対象面から取り外した状態を示す側面図である。
【図１０】図９の取付具を側方から見た側面図である。
【図１１】図１０の取付具の斜視図である。
【図１２】本実施の形態の変形例に係る取付具を取付対象面側基板側から見た背面図である。
【図１３】図１２の取付具を左右方向中央位置で切断した縦断側面図である。
【考案を実施するための形態】
【００２０】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２１】
図１は本考案の実施の形態に係る取付具を用いて操作機器を取付対象面に取り付けた状態を示す側面図を示している。この図１に示すように、１は、平坦な壁面などの取付対象面Ｗに対し各種リモコンなどの操作機器Ｒを係脱自在に取り付ける取付具である。
【００２２】
図２は図１の取付具１を操作機器側取付基板側から見た正面図、図３は図２の取付具１を取付対象面側基板側から見た背面図、図４は図２の取付具１を側方から見た側面図をそれぞれ示している。また、図５は図２の取付具１を上方から見た平面図、図６は図２の取付具１を下方から見た底面図をそれぞれ示している。更に、図７は図５のＡ−Ａ線で切断した断面図、図８は図２の取付具１の斜視図をそれぞれ示している。
【００２３】
図２〜図８に示すように、取付具１は、操作機器Ｒの裏面の上端部付近に裏面（図４では左側面）が取り付けられた操作機器側取付基板２と、取付対象面Ｗに裏面（図４では右側面）が取り付けられた取付対象面側基板３と、取付対象面側基板３の裏面に設けられた接着部材４と、を備えている。
【００２４】
操作機器側取付基板２は、平板状の基板本体２１と、この基板本体２１の表面（図４では右側面）より突出する突起部２２と、この突起部２２の先端（図４では右端）より下方へ延びる延設片２３とを備えている。基板本体２１の裏面（図４では左側面）の上端部付近には、左右方向へ延びる細長いリブ２４が突設されている。基板本体２１の裏面のリブ２４よりも下側のほぼ全域には、操作機器Ｒの裏面に対し接着する接着シール材２５が設けられている。この場合、リブ２４によって、操作機器側取付基板２の基板本体２１の裏面と操作機器Ｒの裏面との間隔が保たれるようにしている。
【００２５】
取付対象面側基板３は、平板状の基板本体３１と、この基板本体３１の表面（図４では左側面）の略中央部分より突出する突出部３２とを備えている。また、突出部３２には、操作機器側取付基板２の延設片２３が係脱自在に係合する係合部３３が設けられている。係合部３３は、延設片２３を上方からの挿通により係脱自在に係合する挿通孔３４を備えている。
【００２６】
接着部材４は、発砲ポリウレタンフォームよりなる接着シート４１と、この接着シート４１を取付対象面側基板３の基板本体３１の裏面（図４では右側面）に接着する両面テープ４２とを備え、これらによって２層構造に構成されている。そして、接着部材４は、接着シート４１によって、取付対象面側基板３を取付対象面Ｗに対し脱着可能な接着により取り付けている。
【００２７】
図９は図１の操作機器Ｒを取付対象面Ｗから取り外した状態を示す側面図、図１０は図９の取付具１を側方から見た側面図、図１１は図１０の取付具１の斜視図をそれぞれ示している。この図９〜図１１にも示すように、取付対象面側基板３の下部つまり基板本体３１の下端には、取付対象面側基板３を取付対象面Ｗから取り外す際に把持し易くなるように下方に行くに従い取付対象面Ｗから離間する方向へ傾斜する把持片３５が一体的に設けられている。
【００２８】
そして、取付対象面側基板３は、取付対象面Ｗから取り外す際に把持片３５を把持した状態で取付対象面Ｗに対し突出部３２の突出方向の軸回りにねじり回転させると、取付対象面Ｗより取付対象面側基板３が離脱するようになっている。このとき、取付対象面側基板３をねじり回転させた際に取付対象面Ｗと接着部材４の接着シート４１との間にせん断応力が発生し、接着部材４の接着シート４１が取付対象面Ｗから簡単に剥離する。
【００２９】
また、操作機器側取付基板２の基板本体２１及び取付対象面側基板３の基板本体３１は、取付対象面Ｗに対し操作機器Ｒを取り付けた状態で互いに略平行な状態とされている。そして、把持片３５の下端は、取付対象面Ｗに対し操作機器Ｒを取り付けた際に当該操作機器Ｒの裏面とほぼ接触している。
【００３０】
取付対象面側基板３の基板本体３１の上端には、取付基板面Ｗに沿って上方（外方）へ突出する突出片３６が一体的に設けられている。この突出片３６には、左右一対の細孔３７，３７が設けられ、この両細孔３７，３７を介して取付基板面Ｗに対しホッチキスのステープルが打ち込まれるようになっている。
【００３１】
したがって、本実施の形態では、操作機器Ｒの裏面に裏面を取り付けた操作機器側取付基板２の基板本体２１の表面側より突出する突起部２２先端の延設片２３が係脱自在に係合する係合部３３を表面側より突出させた取付対象面側基板３の基板本体３１の裏面を取付対象面Ｗに対し接着部材４により脱着可能に取り付けている。
【００３２】
その場合、接着部材４が発砲ポリウレタンフォームよりなる接着シート４１とこの接着シート４１を取付対象面側基板３の基板本体３１の裏面に接着する両面テープ４２とで構成されているので、取付対象面側基板３を取付対象面Ｗから取り外す際に、取付対象面側基板３の下部の把持片３５を把持した状態で取付対象面Ｗに対し突出部３２の突出方向の軸回りにねじり回転させると、取付対象面Ｗより取付対象面側基板３が離脱する。このとき、取付対象面側基板３をねじり回転させた際に取付対象面Ｗと接着部材４の接着シート４１との間にせん断応力が発生し、接着部材４の接着シート４１が取付対象面Ｗから簡単に剥離する。これにより、操作機器Ｒの取付位置を変更する際に取付対象面側基板３を取り外しても、取付対象面Ｗには負荷の少ないせん断応力のみが発生して見栄えを悪化させることがなく、操作機器Ｒの取り外し作業を簡単に行うことができる。
【００３３】
また、接着部材４が発砲ポリウレタンフォームよりなる接着シート４１と接着シート４１を取付対象面側基板３の基板本体３１の裏面に接着する両面テープ４２との２層構造に構成されていることにより、発砲ポリウレタンフォームよりなる接着シート４１を取付対象面側基板３の基板本体３１の裏面に両面テープ４２によって簡単に接着することができる。
【００３４】
また、係合部３３に延設片２３を上方からの挿通により係脱自在に係合する挿通孔３４が設けられているので、取付対象面側基板３の係合部３３の挿通孔３４に対し操作機器側取付基板２の延設片２３を上方から挿通すれば、取付対象面Ｗに対し操作機器Ｒを円滑に取り付けることができる。
【００３５】
また、取付対象面Ｗに対し操作機器Ｒを取り付けた状態で操作機器側取付基板２の基板本体２１及び取付対象面側基板３の基板本体３１を互いに略平行な状態とし、取付対象面Ｗに対し操作機器Ｒを取り付けた際に当該操作機器Ｒの裏面と把持片３５の下端（先端）がほぼ接触しているので、操作機器Ｒを取り付けた際に当該操作機器Ｒの重さによる取付対象面側基板３の上端からの剥がれが抑制され、操作機器Ｒを取付具１に対し安定した状態で取り付けることができる。
【００３６】
更に、取付対象面Ｗに沿って外方へ突出する突出片３６を取付対象面側基板３の基板本体３１の上端に一体的に設け、取付対象面Ｗに対しホッチキスのステープルが打ち込まれているので、取付対象面側基板３１を接着部材４の接着力とステープルの打ち込み力とによって取付対象面Ｗに対し強固に取付けることができる。
【００３７】
しかも、操作機器側取付基板２が操作機器Ｒの裏面の上端部付近に裏面に取り付けられているので、操作機器Ｒを上方から収容する収容部を有する場合であっても、当該収容部に操作機器Ｒを収容する際に操作機器側取付基板２が邪魔となり難く、操作機器Ｒの収容を可能としている。
【００３８】
なお、本考案では、接着部材４を接着シート４１と両面テープ４２とで構成したが、図１２及び図１３に示すように、取付対象面側基板３の基板本体３１の裏面に、その裏面の略矩形形状に則した渦巻き状のような一筆書きの溝５１を凹設し、この溝５１をなぞるように接着部材としての接着材（図示せず）が塗布されていてもよい。この場合、接着材として、例えばシャープ化学工業株式会社の「ピタッ！とｐｅｅｌ」などの塗付タイプのものが適用され、これによって、鏡面に比して凹凸のある紙製、ビニル製又はオレフィン製などの壁紙により形成された壁面などの取付対象面に対する接着も可能となり、取付対象面に対する接着可能範囲を拡大することができる。
【００３９】
また、本考案では、取付対象面Ｗに沿って外方へ突出する突出片３６を取付対象面側基板３の基板本体３１の上端に設けたが、２つの突出片が取付対象面側基板の基板本体の左右両側に外方へ突出していたり、取付対象面側基板の基板本体の周囲複数箇所に外方へ複数突出していてもよい。また、突出片自体が取付対象面側基板の基板本体に設けられていなくてもよい。
【００４０】
更に、本実施の形態及び変形例では、壁面などの取付対象面Ｗに取付対象面側基板３の基板本体３１の裏面を取り付けたが、空調機器や冷蔵庫などの家電の平坦な縦面や小物入れ等の縦面などに取付対象面側基板の基板本体の裏面が取り付けられていてもよい。
【符号の説明】
【００４１】
１          取付具
２          操作機器側取付基板
２２        突起部
２３        延設片
３          取付対象面側基板
３３        係合部
３４        挿通孔
３５        把持片
３６        突出片
４          接着部材
４１        接着シート
４２        両面テープ
Ｒ          操作機器
Ｗ          取付対象面
【図１】
0003233259.tif 000003
【図２】
0003233259.tif 000004
【図３】
0003233259.tif 000005
【図４】
0003233259.tif 000006
【図５】
0003233259.tif 000007
【図６】
0003233259.tif 000008
【図７】
0003233259.tif 000009
【図８】
0003233259.tif 000010
【図９】
0003233259.tif 000011
【図１０】
0003233259.tif 000012
【図１１】
0003233259.tif 000013
【図１２】
0003233259.tif 000014
【図１３】
0003233259.tif 000015